(57)【要約】【課題】蓄光式照明器具において、蓄光材料を少なくしても残光を用いた大きな照明効果を得ることができるようにし、且つ、光源の点灯時の照明効率を大きくする。【解決手段】照明柱（蓄光式照明器具）１は、略円柱形の基部２と、基部２の上面に立設された略円筒状の透過パネル３と、透過パネル３の上面を覆うキャップ４と、基部２の上面に略均等間隔で立設されキャップ４を支持する４本のステー（蓄光部）５と、透過パネル３の内部に立設された光源６とを備える。ステー５の外表面には蓄光材料が塗布されている。光源６の点灯時には、光源６からの光が、透過パネル３を介して、照明柱１の周囲に、ステー５にほとんど遮られずに照射されるので、照明効率が大きくなる。光源６の消灯時には、蓄光材料からの残光が透過パネル３に向け照射され、透過パネル３の外表面及び内表面の広範囲にて反射され、照明柱１の周囲に広く照射される。【選択図】図１
2009176670.tif 000002
【特許請求の範囲】
【請求項１】
光源からの光を蓄光し、その蓄光された光により前記光源の消灯後にも照明可能な蓄光式照明器具であって、
前記光源からの光を透過可能に配置された透過パネルと、
前記透過パネルを挟み前記光源と対向する位置に配置され、少なくとも前記光源に望む面に蓄光材料が設けられている蓄光部と、を備えたことを特徴とする蓄光式照明器具。
【発明の詳細な説明】
【技術分野】
【０００１】
本発明は、光源からの光を蓄光し、その蓄光された光により光源の消灯後も照明可能な蓄光式照明器具に関する。
【背景技術】
【０００２】
例えば、蛍光体に蓄光材料を塗り込んだ蛍光ランプを用いたり、特に誘導表示灯や看板等において蓄光材料を塗布等した透過パネルを用いたりし、光源の消灯時に残光を利用して照明を行う蓄光式照明器具がある（例えば、特許文献１参照）。このような蓄光式照明器具では、発光部や透過パネル等に直接に蓄光材料を塗布したり混入したりするため、発光部の照明の本来の効率が低下する。また、蓄光された光を広範囲に照射させる場合、発光部全体に蓄光材料を塗布する必要があるため、製造コストが高くなる。
【特許文献１】特開２００６−１５５９９２号公報
【発明の開示】
【発明が解決しようとする課題】
【０００３】
本発明は、上記問題点を鑑みてなされたものであり、用いる蓄光材料が少なくても、光源の消灯時に蓄光による光を広範囲に照射させることができ、且つ、光源の点灯時の照明効率が大きい蓄光式照明器具を提供することを目的とする。
【課題を解決するための手段】
【０００４】
上記目的を達成するため、請求項１の発明は、光源からの光を蓄光し、その蓄光された光により前記光源の消灯後にも照明可能な蓄光式照明器具であって、前記光源からの光を透過可能に配置された透過パネルと、前記透過パネルを挟み前記光源と対向する位置に配置され、少なくとも前記光源に望む面に蓄光材料が設けられている蓄光部とを備えたものである。
【発明の効果】
【０００５】
請求項１の発明によれば、光源に対向する位置に配置された蓄光部に、蓄光材料が光源に望むように設けられているので、蓄光材料に光源からの光を効率良く蓄光させることができる。また、蓄光部と光源との間には透過パネルが配置されているので、蓄光材料に蓄光された光を、透過パネルの表面で反射させて広範囲に照射させることができる。従って、光源や透過パネルに直接に蓄光材料を塗布したり混入したりする場合と比較して、用いる蓄光材料を少なくして製造コストの低減を図りつつ、蓄光による照明効果を得ることができる。また、光源からの光の大部分が透過率の比較的高い透過パネルを透過して直接周囲に照射されるので、光源や透過パネルに直接に蓄光材料を塗布したり混入したりする場合と比較して、光源の点灯時の照明効率を大きくすることができる。
【発明を実施するための最良の形態】
【０００６】
以下、本発明の一実施形態について図面を参照して説明する。図１（ａ）、（ｂ）は、本実施形態に係る蓄光式照明器具（以下、照明柱という）の一例を示す。照明柱１は、例えば歩道脇や庭等の地面上に立設されて用いられ、夜間等に照明柱１の周囲を照明する柱状の照明器具である。照明柱１は、その設置面に略垂直に立設される略円柱形の基部２と、基部２の上面に基部２と略同軸をなすように立設された略円筒状の透過パネル３と、透過パネル３の上面を覆うように配置されたキャップ４と、基部２の上面にそれぞれ透過パネル３と一定間隔を有するように略均等間隔で立設され、キャップ４を支持する４本のステー（蓄光部）５とを備えている。照明柱１の透過パネル３の内部には、図１（ｂ）に示すように、透過パネル３と略同軸をなすように立設された直管状の光源６が配置されている。光源６は、例えば、点灯時に放射する光線に紫外線を含むような、蛍光灯や水銀灯等の放電灯である。また、基部２の内部には、光源６に電力を供給し点灯させるように制御を行う電力制御部（図示せず）等が配置されている。電力制御部は、例えばタイマ回路等を有している。電力制御部は、例えば商用電力等に接続されており、後述のように、毎日、所定の点灯時刻から所定の消灯時刻までの間、電力を光源６に供給し、光源６を点灯させる。
【０００７】
透過パネル３は、例えば乳白色のアクリル樹脂製等を用いて形成されており、光源６の点灯時に光源６から放射させる光を透過して外部に放射する。透過パネル３は、例えば外径が６０乃至１５０ミリメートル程度で厚みが５ミリメートル程度の円筒形に形成されている。透過パネル３の上面はキャップ４により覆われており、照明柱１が屋外に設置されている場合に照明柱１が風雨等に曝されても、透過パネル３の内部に水滴等が侵入しないように構成されている。なお、透過パネル３は、外形寸法や厚みが上述に限られず、また、模様等を有するように形成されていてもよい。さらにまた、透過パネル３は、例えば無色又は淡色の透明等、光源６の光を効果的に透過可能な色に形成されていてもよい。
【０００８】
ステー５は、例えばアルミニウム合金の円筒材等を用いて形成されており、一端が基部２に固定され、他端がキャップ４に固定されている。ステー５は、キャップ４を、透過パネル３を基部２との間で挟むようにして基部２に固定されている。このようにステー５が基部２とキャップ４との間に配置されていることにより、基部２、透過パネル３、キャップ４及びステー５が強固に合体されて一体の照明柱１が構成されている。ステー５は、外径が例えば１０乃至２０ミリメートル程度であり、基部２とキャップ４とをステー５を介して確実に結合し、また、透過パネル３を透過し放射される光源６からの光を極力遮らないように形成されている。ステー５は、それぞれ、透過パネル３の外表面から、３０乃至４０ミリメートル程度の一定間隔だけ離れて配置されている。
【０００９】
ここで、本実施形態において、ステー５の外表面には、紫外線蓄光材料（図示せず）が全面に塗布されている。この蓄光材料としては、例えば、Ｓｒ（ストロンチウム）とＭｇ（マグネシウム）とＳｉ（ケイ素）とを主成分とするケイ酸塩系長残光蛍光体等の屋外耐候性のあるものを用いた、ＪＩＳ９１０７に規定される残光性能を満たすような塗料を用いることができる。図２は、ステー５に用いられる蓄光材料の残光特性の一例を示す。蓄光材料は、照明柱１の用途等に応じて適宜選定すればよい。すなわち、例えば照明柱１が誘導標識に用いられる場合等には、消防法令等での視認のための輝度に関する規定を十分満たすものであって、輝度差弁別閾値を鑑み、所定時間経過後にも視認可能な程度の輝度（例えば、初期において１００ｍｃｄ／ｍ２（１平方メートル当たりの光度（ミリカンデラ））以上、２時間後において１０ｍｃｄ／ｍ２以上）を有すると判断できるものを選定することができる。
【００１０】
次に、図３（ａ）、（ｂ）及び図４（ａ）乃至（ｄ）を参照して、点灯時及び残光発光時の照明柱１の各状態について説明する。なお、図４（ａ）、（ｃ）において、光源６の図示は省略している。また、図４（ａ）乃至（ｄ）において、網掛けを付した部位は光を照射していることを示している。先ず、照明柱１において、光源６の点灯時には、図３（ａ）に示すように、光源６から放射された光が透過パネル３を透過し、照明柱１の周囲に照射される。このとき、図４（ａ）、（ｂ）に示すように、照明柱１は、周囲から見て、透過パネル３が明るく光っているように見える。また、このとき、ステー５のうち透過パネル３を介し光源６を望む面には、透過パネル３を透過した光が照射される。これにより、ステー５の当該面に設けられている蓄光材料に照射された光が蓄光される。
【００１１】
光源６の消灯時すなわち残光発光時には、図３（ｂ）に示すように、光源６から照射される光が消え、ステー５の蓄光材料からの蓄光による光のみが照明柱１から照射される。蓄光材料からの残光は、主に、ステー５のうち、透過パネル３に面する、光源６から入射された光のエネルギーが大きい部位から、透過パネル３に向けて照射される。透過パネル３に向けて照射された残光は、透過パネル３の外表面及び内表面にて反射され、照明柱１の周囲に拡散するようにして照射される。これにより、図４（ｃ）、（ｄ）に示すように、照明柱１は、周囲から見て、透過パネル３及びステー５が共に残光を照射し、自ら光っているように見える。
【００１２】
図５は、時刻の経過に対する透過パネル３の表面輝度の変化の一例を示す。夕方までの昼間には、自然光が照射されることにより、照明柱１の周囲は十分に明るいので、照明柱１は点灯されない。日没が近く、自然光が少なくなり、照明柱１の周囲が所望の明るさより暗くなるような所定の時刻が到来すると、電力制御部の制御により光源６が点灯される。図に示すように、光源６は、例えば１８時３０分前後に設定された点灯時刻から、２４時前後に設定された消灯時刻まで点灯されるように、予め設定されている。その消灯時刻（例えば、２４時）が到来すると、電力制御部の制御によって光源６が消灯され、その後、上述したような蓄光材料からの残光による照明が開始される。このように、照明柱１を用いることにより、光源６を点灯させることによる照明と、光源６の消灯後の残光を用いた照明とを行うことができる。この照明柱１は、光源６の消灯後も残光による照明を行うことができるので、例えば夜間の非常時等に、光源６が消灯し暗黒状態になったときでも、遠方からの目印として認識可能である。そして、照明柱１が、例えば４０メートル程度の間隔で連続的に複数個配置された場合には、特に高い誘導効果を得ることができる。なお、残光による照明は、光源６の点灯時の照明よりも暗く、さらに、光源６が消灯された後、時刻の経過と共に徐々に暗くなる。従って、消灯時刻は、照明の用途等を鑑み、照明時に必要な輝度やそのときの時刻等に応じて適宜設定される。
【００１３】
このように、本実施形態においては、光源６の点灯時に、ステー５に光源６に望むように設けられた蓄光材料に光源６からの光が効率良く蓄光され、その後、光源６の消灯時には、各ステー５の蓄光材料から照射される蓄光による残光が、透過パネル３の広い面積で反射される。これにより、残光発光時に、残光を広範囲に照射させることができ、自ら残光を照射しているように見える透過パネル３の面積を広くすることができる。従って、光源６や透過パネル３に直接に蓄光材料を塗布したり混入したりする場合と比較して、使用する蓄光材料を少なくして製造コストの低減を図りつつ、残光を用いた照明効果を得ることができる。また、このとき、光源６からの光の大部分が、ステー５に遮られることなく、比較的透過率の高い透過パネル３を透過して直接周囲に照射されるので、光源６や透過パネル３に直接に蓄光材料を塗布したり混入したりする場合と比較して、光源６の点灯時の照明効率を大きくすることができる。
【００１４】
なお、本実施形態において、各ステー５の外表面のうち、透過パネル３を介して光源６に望む略半円筒面のみに蓄光材料が塗布されていてもよい。これにより、残光を広範囲に照射可能にしつつ、使用される蛍光材料の量をさらに削減し、より照明柱をコストダウンすることができる。また、ステー５は、例えばアクリル樹脂やポリカーボネート等の透過性を有する樹脂等に、蓄光材料が塗布又は混入されて形成されていてもよい。これにより、光源６からの光が、ステー５の光源６に望む面の反対側の面やステー５の内部に照射されるようにしたり、また、蓄光材料の残光がステー５の内部を透過するように構成することができ、ステー５から照明柱の周囲に向けて照射される残光を多くし、残光を有効に利用して照明することができる。
【００１５】
なお、照明柱の各構成部材は、上述の通り説明した照明柱１のような形状に限られず、例えば照明柱１のデザインや設置場所の景観等に応じて適宜変更又は変形してもよい。図６（ａ）、（ｂ）は、本実施形態の第１の変形例を示す。第１の変形例に係る照明柱１１は、照明柱１と比較し、照明柱１の基部２、透過パネル３、キャップ４にそれぞれ対応する部位である基部１２、透過パネル１３、キャップ１４の外形が、上面視で四角形となるように構成されている。その他のステー５や光源６は、照明柱１と同様に構成されている。この照明柱１１においても、光源６の点灯時には、光源６からの光を透過パネル１３の大部分から、照明柱１１の周囲に照射させることができる。また、光源６の消灯時には、ステー５に設けられている蓄光材料の残光を、透過パネル１３の表面で透過させて広範囲に照射させることができる。
【００１６】
また、図７（ａ）、（ｂ）は、本実施形態の第２の変形例を示す。第２の変形例に係る照明柱２１は、透過パネル２３を透過パネル３に替えて備えている点で、照明柱１と相違する。図８は、光源６が点灯後消灯されたときの残光発光時の照明柱２１を示す。透過パネル２３は、各ステー５に望む４つのパネル面２３ａを有している。各パネル面２３ａは、上面視で２次曲線形状すなわちパラボラ形状をなすように形成されている。各パネル面２３ａに対し、ステー５は、上面視で、当該ステー５に対応するパネル面２３ａの焦点に位置するように配されている。
【００１７】
照明柱２１では、透過パネル２３の各パネル面２３ａがステー５を焦点とするパラボラ形状に形成されていることにより、光源６の残光発光時に、透光パネル２３に照射された残光は、上面視で各パネル面２３ａのパラボラ形状の軸方向に略平行な方向に反射される。従って、例えば照明柱２１からより離れた所望の方向の地点に残光を照射させるなど、より効率的に残光による照明を行うことができる。
【００１８】
なお、本発明は上記実施形態の構成に限定されるものではなく、種々の変形が可能である。例えば、照明柱は、４本のステーではなく、２本又は３本、又は５本以上のステーを備えていてもよい。また、照明柱は、ステーやキャップ等を有さなくてもよく、このとき、蓄光材料は、例えば、透過パネルを挟み光源と対向する位置に配置されるような蓄光部のうち、少なくとも光源に望む面に設けられていればよい。これらの場合であっても、各ステーや蓄光部に、少なくとも光源に望むように蓄光材料が設けられていることにより、上記と同様に、残光を用いた大きな照明効果を得ることができ、且つ、光源の点灯時の照明効率を大きくすることができる。
【図面の簡単な説明】
【００１９】
【図１】（ａ）は本発明の一実施形態に係る照明柱（蓄光式照明器具）の一例を示す斜視図、（ｂ）は（ａ）の透過パネルが設けられている部位の断面を示す斜視図。
【図２】上記照明柱に用いられる蓄光材料の残光特性の一例を示すグラフ。
【図３】（ａ）は上記照明柱の点灯時においてこの照明柱から照射される光を示す平面図、（ｂ）は同照明柱の消灯時においてこの照明柱から照射される光を示す平面図。
【図４】（ａ）は上記照明柱の点灯時を示す平面図、（ｂ）は（ａ）の側面図、（ｃ）は同照明柱の消灯時を示す平面図、（ｄ）は（ｃ）の側面図。
【図５】時間の経過に対する上記照明柱の透過パネルの表面の発光輝度の変化を示すグラフ。
【図６】（ａ）は上記照明柱の第１の変形例を示す斜視図、（ｂ）は（ａ）の透過パネルが設けられている部位の断面を示す斜視図。
【図７】（ａ）は上記照明柱の第２の変形例を示す斜視図、（ｂ）は（ａ）の透過パネルが設けられている部位の断面を示す斜視図。
【図８】上記照明柱の消灯時においてこの照明柱から照射される光を示す平面図。
【符号の説明】
【００２０】
１，１１，２１  照明柱（蓄光式照明器具）
３，１３，２３  透過パネル
５  ステー（蓄光部）
６  光源
【図１】
2009176670.tif 000003
【図２】
2009176670.tif 000004
【図３】
2009176670.tif 000005
【図４】
2009176670.tif 000006
【図５】
2009176670.tif 000007
【図６】
2009176670.tif 000008
【図７】
2009176670.tif 000009
【図８】
2009176670.tif 000010